(57)【特許請求の範囲】
【請求項１】
支持手段端部接続部および支持手段を含むエレベータ装置であり、支持手段（６）がケーブル（６ａ）またはケーブルストランド（６ｃ）およびケーブルケーシング（６ｂ）を含み、ケーブルケーシングが実質的に熱可塑性材料または弾性材料からなり、ケーブル（６ａ）またはケーブルストランド（６ｃ）がケーブルケーシングによって囲われ、支持手段端部接続部がウェッジポケット（１１）およびウェッジ（１２）を含むウェッジ筺体（１０）を有し、支持手段（６）がウェッジ（１２）とウェッジポケット（１１）との間に延在し、ウェッジ（１２）の周りを実質的にループしてウェッジポケット（１１）にウェッジ（１２）を用いて保持される、エレベータ装置であって、
・  ウェッジ（１２）の領域またはウェッジポケット（１１）の領域またはケーブルケーシング（６ｂ）の領域には、摩擦係数を減少させる手段が、支持手段端部接続部（９）の領域において設けられており、
・  支持手段（６）の支持ラン（８）の近傍に配置されるウェッジ摺動表面（１３．３）またはウェッジポケット摺動表面（１６）に、摩擦係数を減少させる手段が設けられていることを特徴とする、エレベータ装置。
【請求項２】
・  支持手段（６）のルースラン（７）の近傍に配置されるウェッジ接着表面（１３．２）またはウェッジポケット接着表面（１５）には、長手軸方向のウェッジ溝が設けられ、および／または、
・  支持手段（６）のルースラン（７）の近傍に配置されるウェッジポケット接着表面（１５）および／またはウェッジ接着表面（１３．２）が、ウェッジポケット（１１）の残りの表面よりも増加された表面粗さを有し、および／または、
・  支持手段（６）のルースラン（７）の近傍に配置されるウェッジポケット接着表面（１５）および／またはウェッジ接着表面（１３．２）には、横方向のフルートまたは横方向の溝が設けられていることを特徴とする、請求項１に記載の支持手段端部接続部（９）を含むエレベータ装置。
【請求項３】
・  支持手段（６）の支持ラン（８）の近傍に配置されるウェッジ摺動表面（１３．３）またはウェッジポケット摺動表面（１６）が、第１の表面領域（１３．１）および第２の表面領域（１３．４）を有し、第１の表面領域（１３．１）が支持手段端部締結部（９）から支持手段（６）の出口領域に配置され、この第１の表面領域（１３．１）が、第１の表面領域（１３．１）に隣接し、更なる表面領域またはウェッジポケット表面（１６）またはウェッジ表面（１３．３）の上端部への遷移部となる、第２の表面領域（１３．４）よりも大きいウェッジ角（αｋ１）を有し、および／または、
・  張力が加わる側にある、ウェッジ摺動表面（１３．３）およびウェッジポケット摺動表面（１６）の端部が、丸みを有し、および／または、
・  ウェッジ（１２）が、弾性的に形成される、
ことを特徴とする、請求項１または２に記載の支持手段端部接続部を含むエレベータ装置。
【請求項４】
ウェッジ（１２）が、ウェッジ形状の端部で弾性的に形成されることを特徴とする、請求項３に記載の支持手段端部接続部を含むエレベータ装置。
【請求項５】
ルースラン（７）のウェッジ接着表面（１３．２）が、両側でウェッジ表面（１３．２、１３．３）と接して隣接するウェッジ曲線（１４）を用いて、ウェッジ（１２）の上端部で支持ラン（８）のウェッジ摺動表面（１３．３）に接続され、曲線（１４）の曲率半径がルースラン（７）のウェッジ接着表面（１３．３）の方向に減少されることを特徴とする、請求項１から４のいずれか一項に記載の支持手段端部接続部を含むエレベータ装置。
【請求項６】
ウェッジ（１２）が、鋼と比べて柔らかい材料からなることを特徴とする、請求項１から５のいずれか一項に記載の支持手段端部接続部を含むエレベータ装置。
【請求項７】
ウェッジ（１２）が、アルミニウム、合成材料または、金属と合成材料の複合物からなることを特徴とする、請求項６に記載の支持手段端部接続部を含むエレベータ装置。
【請求項８】
ウェッジポケット表面（１５、１６）が挿入板（２５）を用いて形成されることを特徴とする、請求項１から７のいずれか一項に記載の支持手段端部接続部を含むエレベータ装置。
【請求項９】
支持手段（６）が、互いに対して離間されて延在する少なくとも二本のケーブル（６ａ）またはケーブルストランド（６ｃ）と、個々のケーブル（６ａ）またはケーブルストランド（６ｃ）を互いから離すケーブルケーシング（６ｂ）からなり、支持手段（６）が長手軸方向の構造を有することを特徴とする、請求項１から８のいずれか一項に記載の支持手段端部接続部を含むエレベータ装置。
【請求項１０】
支持手段（６）における長手軸方向の構造が、長手軸方向の溝であることを特徴とする、請求項９に記載の支持手段端部接続部を含むエレベータ装置。
【請求項１１】
支持手段（６）の端部が、個々のケーブルまたはケーブルストランドラン（２４）に分割され、ケーブルまたはケーブルストランドラン（２４）それぞれが、ウェッジ（１２）またはウェッジポケット（１１）に関連付けられた長手軸方向のウェッジ溝を用いてクランプされることを特徴とする、請求項１から１０のいずれか一項に記載の支持手段端部接続部を含むエレベータ装置。
【請求項１２】
ケーブルまたはケーブルストランド（２４）が、支持手段端部接続部（９）の領域においてケーブルケーシング（６ｂ）と接着されるか、融合されるか、または、機械的に接続されることを特徴とする、請求項１から１１のいずれか一項に記載の支持手段端部接続部を含むエレベータ装置。
【請求項１３】
エレベータ装置において支持手段を締結する方法であり、支持手段（６）がケーブル（６ａ）またはケーブルストランド（６ｃ）およびケーブルケーシング（６ｂ）を含み、ケーブルケーシングが実質的に熱可塑性材料または弾性材料からなり、ケーブル（６ａ）またはケーブルストランド（６ｃ）がケーブルケーシングによって囲われ、支持手段端部接続部がウェッジポケット（１１）およびウェッジ（１２）を含むウェッジ筺体（１０）を有し、支持手段（６）がウェッジ（１２）とウェッジポケット（１１）との間に延在し、ウェッジ（１２）の周りを実質的にループしてウェッジポケット（１１）にウェッジ（１２）を用いて保持される、方法であって、
・  ウェッジの領域またはウェッジポケットの領域またはケーブルケーシングの領域には、摩擦係数を減少させる手段が、支持手段端部接続部の領域において設けられており、
・  支持手段（６）の支持ラン（８）の近傍に配置されるウェッジ摺動表面（１３．３）またはウェッジポケット摺動表面（１６）に、摩擦係数を減少させる手段が設けられていることを特徴とする、エレベータ装置において支持手段を締結する方法。
【発明の詳細な説明】
【技術分野】
【０００１】
本発明は、支持手段端部接続部（ｃｏｎｎｅｃｔｉｏｎ）および支持手段を備えるエレベータ装置と、エレベータ装置において支持手段の端部を締結する方法とに関する。
【背景技術】
【０００２】
エレベータ装置は、通常、エレベータ昇降路において反対方向に移動するケージと釣り合いおもりからなる。ケージと釣り合いおもりとは、一体に接続され、支持手段によって支持される。支持手段の端部は、ケージ、または釣り合いおもり、またはエレベータ昇降路に、支持手段端部接続部によって締結される。締結の場所は、エレベータ装置の構造のモードに合わせられる。支持手段端部接続部は、相応じて、支持手段に作用する力を、ケージ、または釣り合いおもり、またはエレベータ昇降路に伝達しなくてはならない。支持手段端部接続部は、支持手段の必要な支持力を伝達できるように設計されなくてはならない。
【０００３】
現在、数本のケーブルまたはケーブルストランドが組み合わされて支持手段となる、多数の支持手段が使用されている。支持手段は、互いに対して離間されて延在する二本のケーブルまたはケーブルストランドと、共通のケーブルケーシングからなる。ケーブルまたはケーブルストランドは、支持力および移動力を伝達するよう実質的に機能し、ケーブルケーシングはケーブルまたはケーブルストランドを外部影響から保護し、駆動モータによって支持手段にもたらされる駆動力の伝達能力を向上させる。
【０００４】
知られている構造の場合、支持手段はウェッジを用いてウェッジポケットに固定されている。これに関連して、ウェッジポケットの第１のウェッジポケット表面は、支持手段の張力方向に応じて形成される。この第１のウェッジポケット表面は、支持手段の離間方向に配置される。ウェッジポケットの第２のウェッジポケット表面は、第１のウェッジポケット表面に対してウェッジのウェッジ角に応じて移動するよう形成される。ここでは、支持手段はウェッジポケット表面とウェッジとの間に配置され、摩擦状態によりウェッジポケットにウェッジを引き込み、それにより、支持手段が固定される。第１のウェッジポケット表面に沿って支持力が蓄えられる間に支持手段の支持ラン（ｓｕｐｐｏｒｔｉｎｇ  ｒｕｎ）が滑ることは明らかであり、支持手段のルースラン（ｌｏｏｓｅ  ｒｕｎ）は第２のウェッジポケット表面に対して位置が僅かに伸縮運動する。以下では、第１のウェッジポケット表面はウェッジポケット摺動面と称され、第２のウェッジポケット表面はウェッジポケット接着表面と称される。
【０００５】
エラストマー被覆材料が設けられる支持手段に対する支持手段端部接続部は、国際公開第００／４０４９７号パンフレットから知られており、ウェッジポケット角は、所与の長さおよび幅の場合にウェッジが発生する支持手段の圧力負荷が、エラストマー被覆材料の許容可能な圧力負荷よりも低い値となるよう、形成される。
【０００６】
同構造の不都合な点は、支持手段端部接続から支持手段のケーブルケーシングへの力の導入が、ウェッジの幾何学的形状のみによって解放され、ケーシングから実際の支持ケーブルまたはケーブルストランドへの力の伝達が解放されない点である。ケーブルストランドまたはケーブル内の摩擦係数は、多くの場合、ケーブルケーシングから接続部分までよりも小さい。そのため、ケーブルストランドまたはケーブルは、ケーブルケーシング内で十分に保持されず、支持手段の許容可能な支持力が制限される。
【特許文献１】国際公開第００／４０４９７号パンフレット
【発明の開示】
【発明が解決しようとする課題】
【０００７】
本発明は、支持手段の支持力を最大化し、確実に伝達し、更に、
・  支持ケーブルまたはケーブルストランドへの力の導入を確実にする、
・  支持手段における全体的なストレスを最適化する、
・  支持手段の長い耐用年数を確実にする、
・  組立て易く、経済的である、
・  必要な場合には、上昇した周囲温度に耐えることができる、
といった点を満たす、最適化された支持手段端部接続部を提供することを目的とする。
【課題を解決するための手段】
【０００８】
上述の目的は、特許請求の範囲の請求項１から１０の記載に従って本発明により達成される。有利な展開は、従属請求項に記載される。
【０００９】
本発明は、特許請求の範囲の記載に従って、支持手段端部接続部および支持手段を備えるエレベータ装置と、エレベータ装置において支持手段を締結する方法とに関わる。
【００１０】
エレベータ装置は、エレベータ昇降路において反対方向に移動するケージと釣り合いおもりから構成される。ケージと釣り合いおもりは、一体に接続され、支持手段によって支持される。支持手段は、少なくとも一本のケーブルまたはケーブルストランドと、ケーブルまたはケーブルストランドを囲うケーブルケーシングからなる。ケーブルまたはケーブルストランドは、合成繊維、または、金属材料、好ましくは、鋼ワイヤより作られる。幾つかの支持手段は、共に支持手段ストランドを形成する。
【００１１】
支持手段の端部は、ケージ、または釣り合いおもり、またはエレベータ昇降路に、支持手段端部接続部によって締結される。締結の場所は、エレベータ装置の構造のモードに合わせられる。支持手段は、ウェッジポケットにおいて支持手段を固定するウェッジを用いて支持手段端部接続部に保持される。ウェッジポケットを含む支持手段端部接続部の端部は、ウェッジ筺体によって形成される。支持手段は、その負荷がかけられていない部分にルースランを有する。ルースランは、垂直方向に対して傾斜が付けられたウェッジポケット接着表面上に延在し、ウェッジ接着表面を用いてウェッジによってウェッジポケット接着表面に押し付けられる。支持手段は、ウェッジ曲線を回り、反対側のウェッジ摺動表面と、略垂直方向または支持手段の張力方向に方向付けられるウェッジポケット摺動表面との間を、支持手段の支持ランまで延在する。したがって、支持手段の張力は、ウェッジ表面およびウェッジポケット表面に沿って押し付けること、および、ウェッジの周りをループさせることで伝達される。支持手段は、ウェッジを用いて、ウェッジポケットに保持され、支持手段はウェッジとウェッジポケットとの間を延在する。
【００１２】
この場合、支持手段の許容可能な張力は、支持手段端部接続部からケーシング、およびケーブルまたはケーブルストランドへの、力の流れの形態にある接触表面の設計によって、明白に影響を及ぼされる。
【００１３】
本発明によると、ケーブルケーシングは熱可塑性プラスチック材料またはエラストマーからなり、ウェッジの領域、または、ウェッジポケットの領域には、長手軸方向のウェッジ溝が設けられ、および／または、ウェッジまたはウェッジポケット、あるいはケーブルケーシングの領域は、摩擦係数を減少させる手段を含む支持手段端部接続部の領域に設けられる。
【００１４】
長手軸方向のウェッジ溝は、ウェッジまたはウェッジポケットの領域に実質的に配置され、支持手段端部接続部の組立てられた状態では、支持手段と直接的に接触する。対応するウェッジ領域、またはウェッジポケット領域に設けられる、長手軸方向のウェッジ溝は、ケーブルまたはケーブルストランドがケーブルケーシングと共に長手軸方向のウェッジ溝によって押し付けられ、ケーブルケーシング内のケーブルまたはケーブルストランドの滑りが防止されるように、支持手段に作用する法線力を増加させる。この場合の長手軸方向のウェッジ溝の大きさは、要件に応じて定められる。長手軸方向のウェッジ溝の形状は、駆動プーリのウェッジ溝の設計に略同じように従う。特に、長手軸方向のウェッジ溝の角は、支持手段の構造に応じて選択される。
【００１５】
ウェッジ、ウェッジポケット、または、ケーブルケーシングの領域における摩擦係数を減少させる手段の使用は、支持手段端部接続部において支持手段を再び締め付けるまたは更に滑らせることが選択的に行われるといった効果を、支持手段端部接続部の領域において有する。摩擦係数を減少させる手段は、ウェッジ、ウェッジポケット、および／または支持手段の領域にコーティングされる摺動手段、または、例えば「テフロン（登録商標）」コーティングのようなコーティングでもよい。更に、摺動を可能にする材料からウェッジ全体を形成することが可能となる。
【００１６】
全体として、本発明による解決策により、ケーブルケーシングから支持ケーブルまたはケーブルストランドへの力の導入を確実にすることができ、支持手段における全体のストレスが最適化され、支持手段の長い耐用年数が保証される。
【００１７】
有利な実施形態は、支持手段のルースランの近傍のウェッジ接着表面またはウェッジポケット接着表面に、長手軸方向のウェッジ溝を設けることを提案する。これは、支持手段を装填する場合にウェッジを引き込むことで生ずる、ウェッジポケットに対するウェッジの押圧力が、ウェッジポケット接着表面の側の支持手段において可能な特定の程度の制約力が上昇し、この表面には長手軸方向のウェッジ溝が設けられているため、ケーブルまたはケーブルストランドを互いに対して押し付けてケーブルケーシングと共に押し付けるため、特に有利であり、それにより、最大可能支持手段力は、ウェッジ曲線の周りの撓みにより増加される。この場合は、ルースランの側で力の増加が更に蓄積されるため、力は連続的に増加される。更に、ウェッジ溝は、ウェッジの曲線にわたって形成される。
【００１８】
更なる実施形態では、支持手段のルースランの近傍に配置されるウェッジポケット接着表面および／またはウェッジ接着表面は、ウェッジポケットまたはウェッジの残りの表面に対して増加される表面粗さを有し、あるいは、これらの表面には横方向のフルートまたは横方向の溝が設けられる。これは、支持手段を装填する場合、ウェッジを引き込むことで生ずる、ウェッジポケットに対するウェッジの押圧力が、表面が増加した粗さを有する、または、横方向のフルートまたは横方向の溝を有するため、ウェッジポケット接着表面またはウェッジ接着表面の側で支持手段において可能な特定の程度の支持力まで増加するため特に有利であり、それにより、ウェッジの周りの撓みの結果として最大可能支持手段力が増加する。この場合、ルースランの側の初期力が蓄積されるため、力は連続的に増加される。支持ケーブルのルースランは、確実に保持され、高い支持力が伝達され得る。更に、支持手段が装填処理中に主に滑るウェッジポケット摺動表面は、適切により低い程度の粗さを有し、表面が損傷を受けないため、支持手段の損傷を妨げる。高い装填能力を有する経済的な支持手段端部接続部が本発明により提供される。
【００１９】
代替的に、あるいは、追加的に、支持手段の支持ランの近傍に配置されるウェッジ摺動表面および／またはウェッジポケット摺動表面には、摩擦係数を減少させる手段が設けられる。摩擦係数を減少させる手段は、例えば、スリップスプレー、摺動能力を有する合成材料の中間層、または、表面コーティングである。これにより、表面が損傷を受けず、ケーシング、および、ケーブルまたはケーブルストランドへの装填が均一に行われるため、張力をかけられて装填される支持手段端部接続部の側の支持手段の損傷を妨げる、装填処理中の支持手段の摺動を可能にする。高い装填能力を有する経済的な支持手段端部接続部が、本構造により提供される。
【００２０】
実施形態の別の変形例では、支持手段の支持ランの近傍に配置されるウェッジ摺動表面またはウェッジポケット摺動表面は第１および第２の表面領域を有し、第１の表面領域は支持手段端部締結部（ｆａｓｔｅｎｉｎｇ）から支持手段の出口領域に配置され、この第１の表面領域は、第１の表面領域に隣接し、更なる表面領域へのまたはウェッジポケット表面またはウェッジ表面の上端部への遷移部となる第２の表面領域よりも、大きいウェッジ角を有する。有利には、個々の表面領域間の遷移は連続的である。最適化された実施形態では、表面領域は、一番目からｎ番目の表面領域までの遷移が連続的に延在し、即ち、遷移の輪郭に従って延在し、ｎ番目の表面領域が主な押圧領域を決定するよう、形成される。
【００２１】
同解決策は、支持手段端部接続部から支持手段の定めることができる出口路にわたって、支持手段の押圧を次第に減少させる。有利には、この表面領域は、ウェッジ摺動表面またはウェッジポケット摺動表面全体の５０％未満にわたって延在する。支持手段は、どの急激な遷移も装填中に受けない。これにより、支持システムの耐用年数が延長される。
【００２２】
更に、ウェッジ摺動表面およびウェッジポケット摺動表面の牽引ケーブル側にある端部には、半径部分が設けられるか曲線が形成されることが有利である。半径部分または湾曲した遷移部分を用いることで、支持手段の押圧が段々に蓄積される効果がある。急激なストレス変化は課されず、支持手段の非常に負荷がかけられた張力領域における支持手段の摺動は、支持手段に損傷を与えることなく可能となる。あるいは、ウェッジはウェッジ形状の端部で弾性となるよう構成される。これにより、支持手段の押圧力がゆっくりと減少される。更に、支持手段は装填中にいかなる急激な遷移も受けない。これにより、支持システムの耐用年数が増加される。
【００２３】
更なる実施形態では、ルースランのウェッジ接着表面は、ウェッジ曲線によってウェッジの上端部で支持ランのウェッジ摺動表面に接続され、ウェッジ曲線は両側でウェッジ表面に接して隣接し、本発明による実施形態では、曲線の曲率半径はルースランのウェッジ接着表面の方向に小さくなる。より小さい曲率半径により、支持手段の曲率がより大きくなり、支持手段自体において変形がより大きくなる。その対抗手段として、支持手段に作用する張力は、同時に、エイテルウェイン（Ｅｙｔｅｌｗｅｉｎ）のループ法則にしたがってルースランの方向に減少し、支持手段において減少した引張ストレスを生ずる。増加する変形ストレスは、減少した引張ストレスと対抗し、理想的な場合には、互いを補償し合う。これにより、支持手段における全体的なストレスが最適化され、全体として支持手段の耐用年数を延長させる。
【００２４】
更なる実施形態では、ウェッジは、鋼と比べて柔らかい材料、低弾性係数を有する材料からなり、好ましくは、アルミニウム、合成材料、または、金属および合成材料の複合物からなる。軟材料を用いることでは、圧力点を均一に分散させ、支持手段を相応じて維持する。金属および合成材料の複合体を用いる場合、特別な摺動特性を実現する可能性が更に提供される。低弾性係数を有する材料を用いると、ウェッジまたは筺体と支持手段との間の剛性に関する不連続性が減少され、支持力が高められる。
【００２５】
追加的には、ウェッジポケット表面は挿入板によって形成される。それにより、適切な挿入板によって完成される支持手段の構造に依存する、支持手段端部接続部の基本構造が提供され、または挿入板は、要件にしたがって、ウェッジ溝、横方向のフルート、横方向の溝が設けられるか摺動するよう、形成され得る。
【００２６】
例示する種類の有利な支持手段端部接続部は、多数のケーブルの形態にある支持手段を用いた場合を生ずる。支持手段は、互いに対して離間されて延在する少なくとも二本のケーブルまたはケーブルストランドと、ケーブルまたはケーブルストランド複合体を囲み、個々のケーブルまたケーブルストランドを互いから離すケーブルケーシングから構成される。この場合、支持手段は好ましくは長手軸方向の溝である長手軸方向の構造を有する。長手軸方向の構造は、個々のケーブルまたはケーブルストランドのイメージでもよく、または、ケーブルまたはケーブルストランドの群は長手軸方向の構造に嵌められてもよい。この場合、ケーブルケーシングは、それぞれの所望の溝構造に応じて特別に外形決めされてもよい。ウェッジポケットまたはウェッジの適用可能な構造は、長手軸方向の構造の種類に好ましくは合わせられる。これにより、特に経済的な支持手段端部接続部が提供される。特定の利点により、例示する支持手段、または多数のケーブルの端部は、個々のケーブルランまたはケーブルストランドランに分割され、個々のケーブルランまたはケーブルストランドランは、ウェッジまたはウェッジポケットの関連付けられた長手軸方向のウェッジ溝を用いてクランプされる。これにより、支持手段端部接続部への支持手段力の特に良好な力の導入が可能となる。
【００２７】
個々のケーブルランまたは個々のケーブルストランドランへの支持手段の分割は、手動で、例えば、切る、割くなどして行われてもよく、あるいは、ウェッジ表面またはウェッジポケット表面の長手軸方向の溝の形成により生ずる中央ウェブによって、強制的に行われてもよい。
【００２８】
好ましい支持手段端部接続部では、ケーブルまたはケーブルストランドは、支持手段端部接続部の領域においてケーブルケーシングと接着されるか、融合されるか、または機械的に接続される。互いとの、および、ケーブルケーシングとのケーブルまたはケーブルストランドの接着、融合、または機械的接続は、支持手段内でどの相対運動も行われないといった効果を有する。例えば、所定の量の液状接着剤が、個々のケーブルまたはケーブルストランドにおいて支持手段の端部に落とされるか流し込まれることで、接着は行われる。接着剤は、重力および毛管作用によりケーブルまたはケーブルストランドと、ケーシングとの間に入り、これらの部分を永久的に接続する。
【００２９】
更なる有利な実施形態は、更なる従属請求項に記載される。
【発明を実施するための最良の形態】
【００３０】
本発明、および、更なる有利な実施形態は、図１から図１２に従って、例として提供される実施形態に基づいて以下に詳細に説明される。
【００３１】
図１および図２に示すように、エレベータ装置１は、エレベータ昇降路２において反対方向に移動するケージ３と、釣り合いおもり４からなる。ケージ３と釣り合いおもり４とは、一体に接続され、支持手段６によって支持される。支持手段の端部は、図２に示すように、ケージ３または釣り合いおもり４に、あるいは、図１に示すように、エレベータ昇降路２に、支持手段端部接続部９によって締結される。締結の場所は、エレベータ装置１の構造のモードに適応される。図１は、これについて、２：１で懸架されるエレベータ装置を示し、図２は１：１で懸架されるエレベータ装置を示す。
【００３２】
図３および図４より、支持手段６が、支持手段をウェッジポケット１１に固定するウェッジ１２を用いて、支持手段端部接続部９でどのように保持されるかが分かる。支持手段端部締結部９は、様々な設置位置に締結される。図３では、取り出し方向は上方に方向付けられる。図４では、図１によるループ式懸架を用いたエレベータ装置の場合に通常使用されるように、取り出し方向は下方に方向付けられる。
【００３３】
図５は、「ツインロープ」の形態にある支持手段６を示す。これに関連して、例示する実施例では合成繊維よりなる個々のストランド６ｃはストランドされ、多層ケーブル６ａを形成する。ケーブル６ａは、熱可塑性またはエラストマーケーブルケーシング６ｂによって囲われる。これについて、外側ケーブルストランドカラー部６ｄは、ケーシング６ｂとある領域にわたって同一平面上で接続される。柔軟なケーブルを得るためには、内側ケーブルストランドカラー部６ｃは、単にストランド処理によって接続される。実施形態の例示する実施例では、該種類の二本のケーブル６ａは、互いに対して離間して配置され、共通の熱可塑性またはエラストマーケーブルケーシング６ｂを有する。
【００３４】
図６は、数本のケーブルストランド６ｃが熱可塑性またはエラストマーケーシング６ｂによって囲われる、ウェッジリブベルトの形態にある支持手段６を示し、ウェッジリブは、駆動能力を発生するのに必要な外形を形成している。どの場合にも、ケーブルストランド６ｃの二重ランは、例示する実施例では一つのリブと関連付けられる。
【００３５】
図７は、支持手段端部接続部の基本構造を示す。支持手段６の端部は、ケージ、または釣り合いおもり、またはエレベータ昇降路に、支持手段端部接続部９によって固定される。支持手段６は、ウェッジポケット１１に支持手段６を固定するウェッジ１２を用いて、支持手段端部接続部９で保持される。ウェッジポット１１を含む支持手段端部接続部９の部分は、ウェッジ筺体１０によって形成される。支持手段６は、その装填されていない端部にルースラン７を有する。ルースラン７は、垂直方向に対して傾けられたウェッジポケット接着表面１５を通り、接着表面１３．２を用いて、ウェッジ１２によってウェッジポケット接着表面１５に押し付けられる。支持手段６は、更に、ウェッジ曲線１４の周りを通り、反対側のウェッジ摺動表面１３．３と、有利には垂直方向あるいは支持手段６の張力方向に方向付けられるウェッジポケット摺動表面１６との間を、支持手段６の支持ラン８まで通る。支持手段６の張力は、ウェッジおよびウェッジポケット表面１３．２、１３．３、１５、１６に沿って押し付けること、および、ウェッジ曲線１４の周りをループさせることにより、加えられる。支持手段６は、ウェッジ１２を用いてウェッジポケット１１で保持され、支持手段６はウェッジ１２とウェッジポケット１１との間を通る。
【００３６】
この場合、支持手段の許容可能な張力は、支持手段端部接続部９からケーブルまたはケーブルストランドのケーシングへの力の流れの形態にある接触表面の設計によって、明白に影響を及ぼされる。
【００３７】
例示する実施例では、ウェッジはタイロッド１７を用いて締結点で接続される。更に、ウェッジ１２はロスから保護する手段１９およびスプリットピン２０を用いて抜け出ないように固定され、ルースラン７はプラスチックタイ２３を用いて支持ラン８に固定される。
【００３８】
図８ａ、図８ｂ、図８ｃ、図９ａ、および、図９ｂは、ウェッジポケット表面とウェッジ表面の有利な実施形態を示す。
【００３９】
図８ａでは、筺体１０のウェッジポケット表面１５、１６は、略円滑になるよう形成され、ウェッジ表面１３．２、１３．３には長手軸方向のウェッジ溝が設けられる。長手軸方向のウェッジ溝は、支持手段６の外形に応じて形成される。支持手段６は、ウェッジ１２の長手軸方向のウェッジ溝の領域で個々の支持手段ラン２４に分割される。例示する実施形態では、どの場合にも、二本のケーブルストランド６ｃがそれぞれの支持手段ラン２４と結合される。支持手段６は、溝の押圧によって有効的に押圧され、保持力は支持手段のケーシングによってケーブルストランドに伝達される。
【００４０】
図８ｂは、同様の状態を示すが、筺体１０のウェッジポケット表面１５、１６に長手軸方向のウェッジ溝が設けられ、ウェッジ表面１３．２、１３．３が略円滑に形成される。長手軸方向のウェッジ溝は、有利にはウェッジポケット接着表面１５に配置される。それにより支持手段６のルースラン７の場合に支持手段の最適な接着が得られる。図８ｃに示すようなこの解決策の場合、特定の利点により、ケーブルケーシング６ｂが例えば火の作用により溶けた場合でも、支持手段６のケーブルストランド６ｃがクランプされ得ることが分かる。
【００４１】
図９ａでは、筺体１０のウェッジポケット表面１５、１６は略円滑に形成され、ウェッジ表面１３．２、１３．３には長手軸方向のウェッジ溝が設けられる。長手軸方向のウェッジ溝は、牽引プーリのウェッジ溝のように形成される。支持手段６は、ウェッジ１２の長手軸方向のウェッジ溝の領域で、個々の支持手段ラン２４に分割される。例示する実施例では、それぞれのケーブル６ａは、個々の支持手段ストランド２４それぞれと結合される。支持手段６は、溝の押圧によって有効的に押圧され、保持力は支持手段のケーシングによってケーブルストランドに伝達される。
【００４２】
図９ｂは、同様の解決策を示すが、筺体１０のウェッジポケット表面１５、１６に長手軸方向のウェッジ溝が設けられ、ウェッジ表面１３．２、１３．３が略円滑に形成される。長手軸方向のウェッジ溝は、ウェッジポケット表面１５に有利には配置される。それにより支持手段６のルースラン７の場合に支持手段の最適な接着が得られる。
【００４３】
図１０は、構成された支持手段端部接続部９の実施例を示す。支持手段６は、図９ａに示すように、端部で個々の支持手段ラン２４に分割される。ケーブルは、端部で、あるいはルースラン７の端部で、ケーブルケーシングとねじ２７、例えば木ねじを用いて、機械的に接続される。支持手段ラン２４の端部にねじ２７を締め付ける際、ケーブルの端部の繊維が押しつぶされる。それにより、ウェッジ１２によって加えられる押圧力が増加され、ケーブルコアからケーシングへの力の伝達が増加される。更に、ねじ山は、ウェッジ１２または筺体１０において突出するため、支持手段から出ることが防止される。支持手段における最大アクセス可能な張力を追加的に増加させる。
【００４４】
図１０で用いられるウェッジ１２は、支持手段６の支持ラン８に近いウェッジ摺動表面に対して追加的に、第１の表面領域１３．１および第２の表面領域１３．４を有し、第１の表面領域１３．１は、支持手段端部締結部９から支持手段６を取り外す領域に配置され、第１の表面領域１３．１は、第１の表面領域１３．１と隣接し、且つ、本実施例では、ウェッジ表面の上端部を形成する、第２の表面領域１３．４よりも大きいウェッジ角αｋ１を有する。このウェッジ形状には多数の設計が可能であることは明らかであろう。幾つかのまたは多くの表面領域は、互いに対して隣接して配置され得る、または、無制限に小表面領域が使用され、結果として、連続的な曲線が得られる。更に、例示する支持手段端部接続部は、ロスから保護する手段１９を有し、ウェッジポケット１１にウェッジ１２を固定する。
【００４５】
図１１は、ウェッジポケット表面１５が挿入部により形成される、支持手段端部接続部を示す。筺体１０が異なる支持手段に使用され得るため、挿入板だけが変えられればよい点で有利である。
【００４６】
図１２は、ウェッジ１２の有利な構造を示す。ウェッジ１２は、鋼等より作られるウェッジコア１２．２を有する。ウェッジコア１２．２は、その下端部に切開部１２．３を有する。切開部１２．３は、ウェッジ１２の下端部領域が弾力的であるといった効果を有する。それにより、ウェッジ表面１３．３の下領域は、弾力的に形成され、ウェッジが発生する押圧は、ウェッジ１２の下端部の方向に減少される。ウェッジコア１２．２は、支持手段６（図示せず）と接触して配置されるウェッジ表面を画定するコーティング１２．１を有する。コーティング１２．１は、滑りを可能にするプラスチック状の材料よりなることが有利である。コーティング１２．１は、例えば、支持手段の輪郭の要件に従って形成される。ウェッジ曲線１４は、幾つかの半径部分に分割される。例示する実施例では、第１の半径部分１４．１は、ウェッジ接着表面１３．２に隣接する。半径部分１４．１は、ウェッジ摺動表面１３．３の方向に拡大半径部分１４．２と隣接する小半径を有する。
【００４７】
例示する実施例は実施形態の実施例である。異なる実施形態が組み合わされてもよい。従って、図１１に示す挿入板は、図１０から図１２によるウェッジ構造と組み合わされてもよく、挿入板はコーティングされてもよく、あるいは、挿入板は支持ランの側に配置されてもよい。本発明の知識に基づいて、所望であれば使用される形状および配置が変更されてもよいことは明らかであろう。例えば、支持手段端部接続部は、装置の水平方向の位置で使用されてもよい。
【図面の簡単な説明】
【００４８】
【図１】エレベータ昇降路に固定される支持手段端部締結部を含む、下部ループを有するエレベータ装置を示す図である。
【図２】ケージまたは釣り合いおもりに締結される支持手段端部締結部を用いて、直接的に懸架されるエレベータ装置を示す図である。
【図３】取り出し力が上方に作用する、ケージまたは釣り合いおもりに締結される支持手段端部締結部の実施例を示す図である。
【図４】取り出し力が下方に作用する、昇降路に締結される支持手段端部締結部の実施例を示す図である。
【図５】離間されたケーブルを有する支持手段の実施例を示す図である。
【図６】離間されたケーブルストランドを有する支持手段の実施例を示す図である。
【図７】支持手段端部接続部の実施例を示す図である。
【図８ａ】ウェッジに配置される長手軸方向のウェッジ溝と、個々のストランドに分割されるベルト形状の支持手段とを有する、支持手段端部締結部を詳細に示す図である。
【図８ｂ】ウェッジポケットに配置される長手軸方向のウェッジ溝と、個々のストランドに分割されるベルト形状の支持手段とを有する、支持手段端部締結部を詳細に示す図である。
【図８ｃ】ウェッジポケットに配置される長手軸方向のウェッジ溝と、溶融ケーシングを有するベルト形状の支持手段とを有する、支持手段端部締結部を詳細に示す図である。
【図９ａ】ウェッジに配置される長手軸方向のウェッジ溝と、個々のストランドに分割される支持手段とを有する、支持手段端部締結部を詳細に示す図である。
【図９ｂ】ウェッジポケットに配置される長手軸方向のウェッジ溝と、個々のストランドに分割される支持手段とを有する、支持手段端部締結部を詳細に示す図である。
【図１０】幾つかのウェッジ摺動表面領域と、機械的に接続される支持手段端部とを有する、支持手段端部接続部を示す図である。
【図１１】挿入板を有する支持手段端部接続部を示す図である。
【図１２】弾力的に構成されるテーパが付けられ、コーティングされる表面と、ウェッジ曲線で可変半径とを有する、支持手段端部接続部に対するウェッジを示す図である。
【符号の説明】
【００４９】
１  エレベータ装置
２  エレベータ昇降路
３  ケージ
４  釣り合いおもり
６  支持手段
６ａ  多層ケーブル
６ｂ  エラストマーケーブルケーシング
６ｃ  ストランド
６ｄ  外側ケーブルストランドカラー部
７  ルースラン
８  支持ラン
９  支持手段端部接続部
１０  ウェッジ筺体
１１  ウェッジポケット
１２  ウェッジ
１２．１  コーティング
１２．２  ウェッジコア
１２．３  切開部
１３．１  第１の表面領域
１３．２、１３．３、１５、１６  ウェッジポケット表面
１３．４  第２の表面領域
１４  ウェッジ曲線
１４．１  第１の半径部分
１４．２  拡大半径部分
１７  タイロッド
１９  ロスから保護する手段
２０  スプリットピン
２３  プラスチックタイ
２４  支持手段ラン
２７  ねじ
【図１】
0005221855.tif 000002
【図２】
0005221855.tif 000003
【図３】
0005221855.tif 000004
【図４】
0005221855.tif 000005
【図５】
0005221855.tif 000006
【図６】
0005221855.tif 000007
【図７】
0005221855.tif 000008
【図８ａ】
0005221855.tif 000009
【図８ｂ】
0005221855.tif 000010
【図８ｃ】
0005221855.tif 000011
【図９ａ】
0005221855.tif 000012
【図９ｂ】
0005221855.tif 000013
【図１０】
0005221855.tif 000014
【図１１】
0005221855.tif 000015
【図１２】
0005221855.tif 000016